(57)【要約】      （修正有）【課題】ガソリン,灯油等のタンク本体を穿孔することなく、電気的動力を使用せず可視的に且つ数値で把握できる残量表示装置。【解決手段】浮子はタンク内の残量により上下に移動し、浮子に嵌合されているガイドロッドは前記ガイド筒の周面に相対峙した螺旋状に設けられている穿設孔に沿って上下動するため当該ガイドロッドの他端で嵌合している前記浮子ガイドは上下動と共に回転運動も伴う。この浮子ガイドの回転運動が回動ロッドに伝わり、先端には磁石が固着されており、同軸線上でタンク上部外面に固着されているダイヤルゲージ式残量計内の下部に回動自在に装着されている被回動ロッド先端の磁石と磁力によって引き付けあい連動した回動運動となる。ダイヤルゲージ式残量計はタンクを穿設することなく固着されているためガソリンや灯油等を充填する加圧タンクにおいては漏れ等の恐れがない。【選択図】図１
2007232700.tif 000002
【特許請求の範囲】
【請求項１】
ガソリン及び灯油等の液状物を充填するタンクにおいて、タンク本体を穿孔することなくタンク外部に取り付けられ、また電気的動力を使用することなくタンク内の残量をダイヤルゲージ式に表示することを特徴とするダイヤルゲージ式残量表示装置。
【請求項２】
請求項１記載のダイヤルゲージ式残量表示装置であって、タンク上部の外面にダイヤルゲージ式残量計を固着する。当該ダイヤルゲージ式残量計の構造は内部がタンク内の残量を表示する略上下逆Ｌ字の目盛針と、当該目盛針の下方には目盛が表記された目盛板がダイヤルゲージ式残量計内壁に固定され当該目盛板の中央部には孔部が設けられ、当該孔部を前記目盛針の垂直方向の目盛針軸が回動自在に貫通し、前記目盛板の下方で前記目盛針軸から左右対称に水平方向に延長された被回動ロッドが水平面上自在に回動可能なように装着され当該左右対称の被回動ロッド先端部で一方の下部には磁石が固着されもう一方の先端下部にはその磁石と同重量の重しが固着され当該被回動ロッドが前記目盛針軸を枢軸として水平面上を回動する時に上下に振れない構造で、前記被回動ロッド下方で目盛針軸下端は摩擦が少なく回動自在となるような逆円錐形状を成し、当該ダイヤルゲージ式残量計内の底面は前記目盛針軸下端が、心ずれを防ぐため下端部周囲がリング状突起構造を有しているダイヤルゲージ式残量計と、タンク上部の内面に前記タンク上面の外壁に固着したダイヤルゲージ式残量計の同軸線上下方に残量検出筒を固着し当該残量検出筒の構造は当該タンク上部の肉板を挟んでタンク内に垂直方向に延伸した回転自在軸を有し、当該回転自在軸の上端には水平方向に左右対称となるように延伸した回転ロッドが固着され当該回転ロッドの一方の先端上面には磁石が固着され回転ロッドもう一方の先端上面には当該磁石と同重量の重しが固着されており回動ロッドが当該回転自在軸を軸として水平面上を回動する時に上下に振れない構造で当該回転自在軸の下端は摩擦が少なく回動自在となるような逆円錐形状を成し回転ロッドと逆円錐形状部間の略全体部の回転自在軸の断面は円周部から対に水平方向に延伸された突起部を有している形状で、当該回転自在軸が挿入可能な内部が前記回転自在軸断面と略同形状に穿設され回転自在軸外面とその穿設された内面には垂直方向に上下スライド可能な間隙を有し外形が円筒形状の浮子ガイドと、当該浮子ガイドの外面中央部から平面中心線を通り水平方向に対に延長された棒状のガイドロッドと、その対のガイドロッドの端部には肉厚があり断面が扇形形状でガソリンより比重の軽い材料から成って嵌合されている対の浮子と、内部が空洞の円筒で内周が前記浮子ガイドの外周より直径が大きくまたその円筒の外周が前記浮子の内側外周より直径が小さく筒壁の中央部には前記ガイドロッドの直径より大きな幅で対の螺旋溝が筒壁の上部から下部に捩れになるように穿設されたガイド筒と、当該ガイド筒の対の螺旋溝に前記対のガイドロッドが挿入されており前記対の螺旋溝に沿って自由動の構造を成しており、内部が空洞の円筒で内径が前記浮子の外径より大きく円筒壁はタンク内部に充填されている帯状の無機材料が進入しない多孔のフィルター状で円筒の上部はタンク上部の内壁と固着し上方内部には前記ガイド筒の上部を固定し且つ中心部に回転自在軸が回動自在となる孔が穿設されている円板を設け下端には前記回転自在軸の下端部が枢軸となるような軸受板を有する多孔筒カバーからなることを特徴とするダイヤルゲージ式残量表示装置。
【発明の詳細な説明】
【技術分野】
【０００１】本発明はガソリンあるいは灯油等を充填する無圧タンクあるいは圧力タンクにおいて充填物の残量をタンクを穿孔することなく、また電気的動力を使用することなく可視的に且つ数値で把握できる残量表示装置に関するものである。
【背景技術】
【０００２】ガソリンあるいは灯油等を充填する無圧タンクあるいは圧力タンクにおいて充填物の残量を、電気的動力を使用することなく可視的に表示する装置として液面計式とフロート式がある。液面計式とはガソリンあるいは灯油等を充填可能なタンクの外部にタンク側面下部から内部の充填物が導通する状態で管を穿設し、その管を垂直方向上方に導きタンク側面上部に穿設する。ここでタンク内に充填されているガソリンあるいは灯油等はタンクの側面下部から導管されて側面上部に導管するようにタンクの外部に設置された管によって移動が自由となる。ガソリンあるいは灯油は液体であり液位すなわち水位が常に一定の高度になる原理がある。そこでこの管はタンクの外部に設置されており管を透明な材料にすればタンク内の液位と管内の液位の高度は一定であることからガソリンあるいは灯油等の残量がタンクの外部で可視的に確認できのである。【０００３】一方フロート式残量表示装置は、ガソリンあるいは灯油等を充填する箱物タンクの上面に給油孔が取付られており、この給油孔の立上がり縁部には、フロート式残量表示装置における円形カップ状の蓋部が被嵌されている。この蓋部の内部には、断面コ字状のガイド部材の上端部が取着され、ガイド部材の下端部はタンク内において、下方へと直線状に延びている。上記ガイド部材の下端部には、回動アームの一端側が回動自在に枢支され、また回動アームの先端部には、浮子が取付けられている。一方、上記ガイド部材の内側には、上下方向に延びる作動ロッドが配置されている。この作動ロッドは、上記ガイド部材の内側に設けられたガイド部によって上下方向のみ自由に移動できるよう案内されている。そして作動ロッド下端部と上記回動アームの中途部とが連結部材によって連結され、これにより回動アームの回動動作に連動して上記作動ロッドが上下動するような構造である。【０００４】上記作動ロッドの上端側は、上記蓋部に穿設した貫通孔を通って上方へと導出されており、その上端部に表示子が上記蓋部から外方に突出するように取付けられている。また上記蓋部の外周部には上下方向に目盛が形成されている。【０００５】上記装置において、タンク内のガソリンあるいは灯油が次第に減少して油面が低下してゆくと、浮子の低下と共に上記回動アームが、時計方向に回動し、これにより上記作動ロッドが次第に下降する。そのため上記表示子も次第に下降していき、この表示子と上記蓋部の外周部に形成された目盛を対応付けることによってタンク内の残量を把握できるようになっている。
【発明の開示】
【発明が解決しようとする課題】
【０００６】ところで従来の前期液面計残量表示装置は油井が一定であることから残量の測定は正確ではあるが、表示部をタンク外側部に露出させなければならずまた液面表示部には透明材料を使用する必要があるため、材料の選択に限界がある。このため移動を要する携帯型タンクで且つ圧力式タンクの場合、この液面計残量表示装置は破損等の恐れがあり、特に高所の建設現場で使用する場合は重大な事故に繋がりかねない。【０００７】また前記従来のフロート式残量表示装置においては、タンク内でフロート部が枢支部を中心に回動するため、タンクの横幅を大きくする必要があり縦長形状のタンクには不向きである。更に近年ではガソリンや灯油等を充填する携帯型タンクでは、移動時の偶発的な暴発を防ぐためタンク内に帯状の無機材料を充填しており、回動アームが動作する余地がない。
【課題を解決するための手段】
【０００８】本発明は、上記従来の問題を解決するため、タンク上部の外面にダイヤルゲージ式残量計を固着する。このダイヤルゲージ式残量計の内部は上方にタンク内に充填されたガソリンあるいは灯油等の液体の残量を表示する回動自在な略上下逆Ｌ字の目盛針と、その目盛針の下方にはその残量に対応した目盛が表記された目盛板がダイヤルゲージ式残量計内の側壁に固定されその目盛板の中央部には孔部が設けられ、その孔部を目盛針の垂直方向の目盛針軸が回動自在に貫通し、目盛板の下方で目盛針軸から左右対称に水平方向に延長された被回動ロッドが水平面上自在に回動可能なように装着されその左右対称の被回動ロッド先端部で一方の下部には磁石が固着されもう一方の先端下部にはその磁石と同重量の重しが固着され被回動ロッドが目盛針軸を軸として水平面上を回動する時に上下に振れない構造で、この被回動ロッド下方で目盛針軸下端は摩擦が少なく回動自在となるような逆円錐形状を成し、ダイヤルゲージ式残量計内の底面はその目盛針軸下端が、心ずれを防ぐため下端部周囲がリング状突起構造を有しているダイヤルゲージ式残量計である。この構造により目盛針と被回動ロッドは一体構造となっておりまた目盛針垂直方向の目盛針軸は目盛板中央部の孔とダイヤルゲージ式残量計内の底面の中央部リング状突起によって枢軸されているため、水平方向は自在回動となる。即ち被回動ロッドの水平方向の回動が目盛針垂直方向軸を枢軸として目盛針水平延長部の回動と連動となる。【０００９】タンク上部の内面に前記タンク上面の外壁に接着したダイヤルゲージ式残量計の同軸下方に残量検出筒が固着されている。残量検出筒の構造は前記垂直方向の目盛針軸と下方に同軸でタンク上部の肉厚を挟んでタンク内に垂直方向に延伸した回転自在軸を有し、この回転自在軸の上端には水平方向に左右対称となるように延伸した回転ロッドが固着されその回転ロッドの一方の先端上面には磁石が固着され回転ロッドもう一方の先端上面にはその磁石と同重量の重しが固着されており回動ロッドが回転自在軸を軸として水平面上を回動する時に上下に振れない構造で回転自在軸の下端は摩擦が少なく回動自在となるような逆円錐形状を成し回転ロッドと逆円錐形状部間の略全体部の回転自在軸の断面は円周部から対に水平方向に延伸された突起部を有している形状と、回転自在軸が挿入可能な内部が回転自在軸断面と略同形状に穿設され回転自在軸外面とその穿設された内面には垂直方向に上下スライド可能な間隙を有し外形が円筒形状の浮子ガイドと、浮子ガイドの外面中央部から平面中心線を通り水平方向に対に延長された棒状のガイドロッドと、その対のガイドロッドの端部には肉厚があり断面が扇形形状でガソリンより比重の軽い材料から成って嵌合されている対の浮子と、内部が空洞の円筒で内周が前記浮子ガイドの外周より直径が大きくまたその円筒の外周が前記浮子の内側外周より直径が小さく筒壁の中央部には前記ガイドロッドの直径より大きな幅で対の螺旋溝が筒壁の上部から下部に最大１８０°の捩れになるように穿設されたガイド筒と、このガイド筒の対の螺旋溝に前記対のガイドロッドが挿入されており対の螺旋溝に沿って自由動の構造を成しており、内部が空洞の円筒で内径が前記浮���の外径より大きく円筒壁はタンク内部に充填されている帯状の無機材料が進入しない多孔のフィルター状で円筒の上部はタンク上部の内壁と固着し上方内部には前記ガイド筒の上部を固定し且つ中心部に回転自在軸が回動自在となる孔が穿設されている円板を設け下端には前記回転自在軸の下端部が枢軸となるような軸受板を有する多孔筒カバーからなる残量検出筒である。【００１０】上記の構造により浮子はタンク内に充填するガソリンあるいは灯油等の比重より軽い材料から成っているためタンク内の残量により上下に移動する。このとき浮子に嵌合されているガイドロッドは前記ガイド筒の周面に相対峙した螺旋状に設けられている穿設孔に沿って上下動するため当該ガイドロッドの他端で嵌合している前記浮子ガイドは上下動と共に回転運動も伴う。この浮子ガイドの回転運動が回転自在軸に伝わり当該回転自在軸の上部面に固着されている回動ロッドに連動され回動ロッドが回動する。前記回動自在軸と同軸上でタンク上面の外壁に固着されているダイヤルゲージ式残量計の内部にはダイヤルゲージ式残量計の内部底面のリング突起とダイヤルゲージ式残量計の内部上方に固着されている目盛板中央部の孔に挿入されている目盛針軸を枢軸として被回動ロッドが回動自在となっており、この目盛針軸の上方水平方向に延長されている目盛針は前記被回動ロッドと連動する。ここで前記回動ロッドの一端には磁石が固着されておりタンクの肉厚を介してダイヤルゲージ式残量計の内部下方にある被回動ロッドの一端にも磁石が固着されている。この構造で回動ロッドに固着されている磁石と被回動ロッドに固着されている磁石は磁力によってお互いに引き付け合うため回動ロッドと被回動ロッドは連動する。【００１１】上記の構造により浮子はタンク内の残量により上下に移動する。このとき浮子に嵌合されているガイドロッドは前記ガイド筒の周面に相対峙した螺旋状に設けられている穿設孔に沿って上下動するため当該ガイドロッドの他端で嵌合している前記浮子ガイドは上下動と共に回転運動も伴う。この浮子ガイドの回転運動が回転自在軸に伝わり当該回転自在軸の上部面に固着されている逆Ｌ字形状の目盛針が当該回転自在軸を軸として水平方向に回転するのである。尚、多孔筒カバーは浮子が円滑に動けるようにするため、タンク充填物であるガソリンあるいは灯油等の液体は通すが暴発を防ぐために充填されている帯状の無機材料は通さない多孔を有した中空筒である。更にダイヤルゲージ式残量計はタンクを穿設することなく固着されているためガソリンや灯油等を充填する加圧タンクにおいては漏れ等の恐れがない。
【発明の効果】
【００１２】上述のように本発明のダイヤルゲージ式残量表示装置は電気的動力を使用することなくタンク内のガソリンあるいは灯油等の残量をダイヤルゲージ式に表示することが出来、また垂直方向の軸に対しての回転運動であることからどのような形状のタンクにも利用が可能となる。更に、ダイヤルゲージ式残量計を機能させるためにタンクを余計に穿設することがないため、ガソリンを利用した溶接あるいは溶断用の圧力タンクにも利用が可能であり、野外や現場でガソリンを充填した圧力タンクを使用する場合、圧力タンク上部に圧力計と共に取付けが出来ることから一元的な残量の管理が可能となる。
【発明を実施するための最良の形態】
【００１３】本発明のダイヤルゲージ式残量表示装置に関し図面を参照して実施例を説明する。但し下記実施例は、本発明の基本的な考えを具現化する一例に過ぎず、下記実施例に本発明が拘束あるいは限定されるものではない。
【実施例】
【００１４】図１はガソリン及び灯油等の圧力タンクに本発明であるダイヤルゲージ式残量計１を組み込んだ状態の斜視切断図である。タンク７の上部外壁に固着されたダイヤルゲージ式残量計１とダイヤルゲージ式残量計１の下方同軸上でタンク７内部には多孔筒カバー２がタンク７の上部内壁に固着されている。更にタンク７上部にはガソリンや灯油を注入する注入安全弁３とタンク７内の圧力を計示する圧力計６とタンク７内の圧力を人為的に除去する抜弁５とタンク７に加圧する加圧ハンドル４が取付けられている。【００１５】図２は圧力タンクの断面図である。タンク７上面の外壁にダイヤルゲージ式残量計１を固着する。このダイヤルゲージ式残量計１の内部は上方にタンク７内に充填されたガソリンあるいは灯油等の液体の残量を表示する水平面上に回動自在な略上下逆Ｌ字の目盛針１１と、その目盛針１１の下方にはその残量に対応した目盛が表示された目盛板１２がダイヤルゲージ式残量計１内の側壁に固定されその目盛板１１の中央部には孔部が設けられ、その孔部を目盛針１１の垂直方向の目盛針軸１５が回動自在に貫通し、目盛板１２の下方で目盛針軸１５から左右対称に水平方向に延長された被回動ロッド１４が水平面上で自在に回動可能なように固着されその左右対称の被回動ロッド１４先端部で一方の下部には磁石１３が固着されもう一方の先端下部にはその磁石１３と同重量の重しが固着され被回動ロッド１４が目盛針軸１５を軸として水平面上を回動する時に上下に振れない構造で、この被回動ロッド１４下方で目盛針軸１５下端は摩擦が少なく回動自在となるような逆円錐形状を成し、ダイヤルゲージ式残量計１内の底面はその目盛針軸１５下端が、心ずれが起きないようにその下端部周囲がリング状突起１６構造を有しているダイヤルゲージ式残量計１である。この構造により目盛針１１と被回動ロッド１４は一体構造となっておりまた目盛針垂直方向の目盛針軸１５は目盛板１２中央部の孔とダイヤルゲージ式残量計１内の底面の中央部リング状突起１６によって枢軸されているため、水平方向は自在回動となる。即ち被回動ロッド１４の水平方向の回動が目盛針軸１５を枢軸として目盛針１２の回動と連動となる。【００１６】タンク上面の内壁に前記タンク７上面の外壁に接着したダイヤルゲージ式残量計１の同軸下方に残量検出筒２０が固着されている。残量検出筒２０の構造は前記垂直方向の目盛針軸１５と下方に同軸でタンク７上部の板肉を挟んでタンク７内に垂直方向に延伸した回転自在軸２９を有し、この回転自在軸２９の上端には水平方向に左右対称となるように延伸した回転ロッド２２が固着されその回転ロッド２２の一方の先端上面には磁石２３が固着され回転ロッド２２のもう一方の先端上面にはその磁石２３と同重量の重しが固着されており回動ロッド２２が回転自在軸２９を軸として水平面上を回動する時に上下に振れない構造で回転自在軸の下端は摩擦が少なく回動自在となるような逆円錐形状を成し回転ロッドと逆円錐形状部との間の略全体部の回転自在軸２９の断面は円周部から対に水平方向に延伸された突起部を有している形状で、回転自在軸２９が挿入可能な内部が回転自在軸２９断面と略同形状に穿設され回転自在軸２９外面とその穿設された内面には垂直方向に上下スライド可能な間隙を有し外形が円筒形状の浮子ガイド２７と、浮子ガイド２７の外面中央部から平面中心線を通り水平方向に対に延長された棒状のガイドロッド２６と、その対のガイドロッド２６の端部には肉厚があり断面が扇形形状でガソリンより比重の軽い材料から成って嵌合されている対の浮子２５と、内部が空洞の円筒で内周が前記浮子ガイド２７の外周より直径が大きくまたその円筒の外周が前記浮子２５の内側外周より直径が小さく筒壁の中央部には前記ガイドロッド２６の直径より大きな幅で対の螺旋溝が筒壁の上部から下部に最大１８０°の捩れになるように穿設されたガイド筒２４と、このガイド筒２４の対の螺旋溝に前記対のガイドロッド２６が挿入されており対の螺旋溝に沿って自由動の構造を成しており、内部が空洞の円筒で内径が前記浮子２５の外径より大きく円筒壁はタンク７内部に充填されている帯状の無機材料が進入しない多孔のフィルター状で円筒の上部はタンク７上部の内壁と固着し上方内部には前記ガイド筒２４の上部を固定し且つ中心部に回転自在軸２９が回動自在となる孔が穿設されている円板を設け下端には前記回転自在軸２９の下端部が枢軸となるような軸受板２８を有する多孔筒カバーからなる残量検出筒２０である。【００１７】上記の構造により浮子２５はタンク７内に充填するガソリンあるいは灯油等の比重より軽い材料から成っているためタンク７内の残量により上下に移動する。このとき浮子２５に嵌合されているガイドロッド２６は前記ガイド筒の周面に相対峙した螺旋状に設けられている穿設孔に沿って回転をしながら上下動するため当該ガイドロッド２６の他端で嵌合している前記浮子ガイド２７は上下動と共に回転運動も伴う。この浮子ガイド２７の回転運動が回転自在軸２９に伝わり当該回転自在軸２９の上部面に固着されている回動ロッド２２に連動され回動ロッド２２が回動する。前記回動自在軸２９と同軸上でタンク７上面の外壁に固着されているダイヤルゲージ式残量計１の内部にはダイヤルゲージ式残量計１の内部底面のリング突起１６とダイヤルゲージ式残量計１の内部上方に固着されている目盛板１２中央部の孔に挿入されている目盛針軸１５を枢軸として被回動ロッド１４が回動自在となっており、この目盛針軸１５の上方水平方向に延長されている目盛針１１は前記被回動ロッド１４と連動する。ここで前記回動ロッド２２の一端には磁石２３が固着されておりタンクの肉厚を介してダイヤルゲージ式残量計１の内部下方にある被回動ロッド１４の一端にも磁石１３が固着されている。この構造で回動ロッド２２に固着されている磁石２３と被回動ロッド１４に固着されている磁石１３は磁力によってお互いに引き付け合うため回動ロッド２２と被回動ロッドは１４連動する。【００１８】上記の構造により浮子２５はタンク７内の残量により上下に移動する。このとき浮子２５に嵌合されているガイドロッド２６は前記ガイド筒２４の周面に相対峙した螺旋状に設けられている穿設孔に沿って上下動するため当該ガイドロッド２６の他端で嵌合している前記浮子ガイド２７は上下動と共に回転運動も伴う。この浮子ガイド２７の回転運動が回転自在軸に伝わり当該回転自在軸の上部に固着されている回動ロッド２���が当該回転自在軸２９を軸として水平方向に回転する。尚、多孔筒カバー２は浮子２５が円滑に動けるようにするため、タンク充填物であるガソリンあるいは灯油等の液体は通すが暴発を防ぐために充填されている帯状の無機材料は通さない多孔を有した中空筒である。そこで回動ロッド２２に固着されている磁石２３とダイヤルゲージ式残量計１内部に回動自在に装着されている被回動ロッド１４に固着されている磁石１３の磁力によってお互いに引き付けあうため連動することとなり被回動ロッド１４と一体となっている目盛針１１も連動することになりタンク７内のガソリンや灯油等の残量の変化と共に目盛針１１が回動し目盛板１２に表記された目盛によってその残量を表示することになる。【００１９】図３は本発明であるダイヤルゲージ式残量計１と残量検出筒２０の部品分解図である。ダイヤルゲージ式残量計はケース１７と、ケース１７の内部に固着されて目盛が表記されている目盛板１２と、逆Ｌ字形の水平部目盛針１１と目盛板中央部に貫通する目盛針軸１５と磁石１３を固着した被回動ロッド１４が一体化されており、ダイヤルゲージ式残量計のケース底１８と中央部に目盛針軸１５が枢軸となるようにリング状突起１６が設けられている。残量検出筒は磁石２３を固着した回動ロッド２２の中心部から下方垂直方向に延伸された回動自在軸２９が一体となっており、回動自在軸２９の断面形状と略同形状に穿設孔を中央部に有する浮子ガイド２７と浮子ガイド２７の外周中央かた中心を通り対に水平面状に延長されたガイドロッド２６が嵌合されガイドロッド２６の端部はガソリンより比重の軽い材料から成る浮子２５が嵌合されて一体となっており、中空構造筒で周部が螺旋状に対に穿設された穿設部２４Ａと２４Ｂを有してその穿設部２４Ａと２４Ｂに沿ってガイドロッド２６が移動自在になるように貫通される構造を有するガイド筒２４と、タンク７内のガソリンや灯油等が移動中に爆発を防ぐために充填されている帯状の無機材料から浮子２５の移動が妨げられないようにする多孔筒カバーから成っている。【００２０】図４はタンク内のガソリンや灯油の残量と回動ロッド２２の関係を示した図である。多孔筒カバー２ａはタンクが満タンの状態を示しており浮子２５ａは液面と共に上下移動するため上方に位置している。タンク内の残量が減少して中間付近の図が多孔筒カバー２ｂの状態である。浮子２５ｂは液面と共に中間部付近に位置しこの時回動ロッドに固着されている磁石２３が満タン時の２３ａから２３ｂに時計廻りに回転移動している。さらにタンクの残量が減少し空になると浮子２５ｃは最下部に位置しこの時回動ロッドの磁石２３は２３ｂから２３ｃに回転移動する。
【図面の簡単な説明】
【００２１】
【図１】加圧タンクの斜視切断図
【図２】加圧タンクの断面図
【図３】ダイヤルゲージ式残量表示装置の部品分解図
【図４】タンク残量と回動ロッドの相関斜視図
【符号の説明】
【００２２】１・・・・・・ダイヤルゲージ式残量計
２・・・・・・多孔筒カバー
７・・・・・・タンク
１１・・・・・目盛針
１２・・・・・目盛板
１３・・・・・磁石
１４・・・・・被回動ロッド
２２・・・・・回動ロッド
２３・・・・・磁石
２４・・・・・ガイド筒
２５・・・・・浮子
２６・・・・・ガイドロッド
２７・・・・・浮子ガイド
２９・・・・・回動自在軸
【図１】
2007232700.tif 000003
【図２】
2007232700.tif 000004
【図３】
2007232700.tif 000005
【図４】
2007232700.tif 000006